(57)【特許請求の範囲】
【請求項１】
バーコードを読み取るバーコードリーダーと、操作パネルと、上記バーコードリーダーにより読み取られた表紙と冊子に印刷されたバーコードを設定された判定基準に基づいて比較することにより表紙と冊子の一致を判定する制御手段とを備えた表紙と冊子の一致検査装置であって、
上記制御手段が、上記操作パネルに、コードの判定基準として、コードの各桁毎に一致、不一致、判定しない、の三状態を定義することを特徴とした判定基準入力画面を表示し、表紙と冊子の一致判定時、上記制御手段が、表紙と冊子に印刷されたバーコードを各桁ごとに比較し、判定基準が一致の桁の場合には一致か否かを判定し、判定基準が不一致の桁の場合には不一致か否かを判定し、判定基準が判定しないの桁の場合には判定しないことを特徴とする表紙と冊子の一致検査装置。
【請求項２】
請求項１に記載された表紙と冊子の一致検査装置において、
上記制御手段が、上記バーコードリーダーにより読み取られた表紙サンプルと冊子サンプルのコードを各桁ごとに比較することにより、判定基準の一致、不一致の状態を自動設定することを特徴とする表紙と冊子の一致検査装置。
【請求項３】
請求項１または請求項２に記載された表紙と冊子の一致検査装置において、
上記操作パネルに表示された判定基準入力画面で、コードの各桁が押されるごとに、上記制御手段が、押された桁を一致、不一致、判定しない、の三状態に順次切り替えることを特徴とする表紙と冊子の一致検査装置。
【発明の詳細な説明】
【技術分野】
【０００１】
本発明は、表紙及び冊子に印刷されたバーコードをバーコードリーダーにより読み取り、両者のコードを比較することにより表紙と冊子の一致を検査する表紙と冊子の一致検査装置に関する。
【背景技術】
【０００２】
製本の一形態として、上製本が知られている。この上製本は、冊子の背面に糸がかりの処理をしてから無線綴じを行い、厚地の表紙を貼着して堅牢な仕上げとするもので、ハ−ドカバ−の書籍が製本される。また、糸がかりの処理を省略した簡易上製本も行われている。
【０００３】
図１７は、簡易上製本を行う例を示す分解斜視図である。図１７において、５０は背面を無線綴じした冊子、５１は背ボ−ル紙（背厚板紙）、５２は簡易上製本用表紙で表側５２ａにはタイトルや図柄等が記入されており、裏側５２ｂには出版社名等が記入されている。５３は裏側表紙ボ−ル紙（表紙厚板紙）、５４は表側表紙ボ−ル紙（表紙厚板紙）である。背ボ−ル紙５１、裏側および表側表紙ボ−ル紙５３、５４は、冊子５０の各用紙よりも厚地の厚板紙を使用する。
【０００４】
簡易上製本用表紙５２には、背ボ−ル紙５１の幅よりもやや広い幅で折り目５２ｕ、５２ｖを入れる。簡易上製本用表紙５２を広げた状態で、背ボ−ル紙５１を簡易上製本用表紙５２の折り目５２ｕ、５２ｖ間に形成される中央部分５２ｃに貼着する。
【０００５】
また、矢視ｘ、ｙで示すように、裏側表紙ボ−ル紙５３、表側表紙ボ−ル紙５４をそれぞれ簡易上製本用表紙５２の裏側５２ｂ、表側５２ａに貼着する。そして、冊子５０の表側見返し用紙５０ａを表側表紙ボ−ル紙５４の内側に貼着し、裏側見返し用紙５０ｂを裏側表紙ボ−ル紙５３の内側に貼着することにより製本を行う。
【発明の開示】
【発明が解決しようとする課題】
【０００６】
上記のようにして上製本を作成する場合、別々の工程で作成された冊子と表紙を組み合わせて製本するので、組み合わせに間違いがないように冊子と表紙にそれぞれバーコードを印刷し、図１８に示すように、製本時に冊子５０と表紙５２のバーコードをバーコードリーダーによって読み取り、表紙と冊子の一致を確認することが行われている。この場合、表紙と冊子に同じバーコードを印刷しておけば、確実に一致を確認することができるが、例えば、表紙だけを二度読み取ったりするミスが発生することがあるので、使われるコードはエンドユーザ毎にいろいろなコード体系が使用されている。
【０００７】
図１９は多様なコード体系の一例を示すものであり、表紙と冊子のコードの全桁が一致しているもの（ａ）、１桁目が不一致、２桁目以降が一致しているもの（ｂ）、９桁目まで一致、１０桁目だけ不一致のもの（ｃ）、１桁目不一致、２〜８桁目一致、９、１０桁目は無視するもの（ｄ）等、様々なコード体系が使用されている。
【０００８】
このように表紙と冊子の一致を確認するために様々なコード体系が使用されており、製本機側でそれに対応する必要があるので、表紙と冊子の一致を判定するためのプログラムをエンドユーザ毎に作ったり、あるいは、予め用意した数種の判定基準にエンドユーザ側が合わせる形でしか対応することができなかった。
【０００９】
本発明は、このような問題に鑑みてなされたものであり、表紙と冊子の一致を確認するためのいろいろなコード仕様に対応した判定基準をオペレータが簡単に設定することができる表紙と冊子の一致検査装置を提供することを目的とする。
【課題を解決するための手段】
【００１０】
請求項１に係る発明の表紙と冊子の一致検査装置は、バーコードを読み取るバーコードリーダーと、操作パネルと、上記バーコードリーダーにより読み取られた表紙と冊子に印刷されたバーコードを設定された判定基準に基づいて比較することにより表紙と冊子の一致を判定する制御手段とを備えた表紙と冊子の一致検査装置であって、  上記制御手段が、上記操作パネルに、コードの判定基準として、コードの各桁毎に一致、不一致、判定しない、の三状態を定義することを特徴とした判定基準入力画面を表示し、表紙と冊子の一致判定時、上記制御手段が、表紙と冊子に印刷されたバーコードを各桁ごとに比較し、判定基準が一致の桁の場合には一致か否かを判定し、判定基準が不一致の桁の場合には不一致か否かを判定し、判定基準が判定しないの桁の場合には判定しないことを特徴とする。
【００１１】
また、請求項２に係る発明の表紙と冊子の一致検査装置は、請求項１に記載された表紙と冊子の一致検査装置において、上記制御手段が、上記バーコードリーダーにより読み取られた表紙サンプルと冊子サンプルのコードを各桁ごとに比較することにより、判定基準の一致と不一致の状態を自動設定することを特徴とする。
さらに、請求項３に係る発明の表紙と冊子の一致検査装置は、請求項１または請求項２に記載された表紙と冊子の一致検査装置において、上記操作パネルに表示された判定基準入力画面で、コードの各桁が押されるごとに、上記制御手段が、押された桁を一致、不一致、判定しない、の三状態に順次切り替えることを特徴とする。
【発明の効果】
【００１２】
請求項１に係る発明の表紙と冊子の一致検査装置によれば、コードの判定基準として、コードの各桁毎に一致、不一致、判定しない、の三状態を定義することができるので、様々なコード体系に対応することができるとともに、一致だけでなく、不一致も判定するので、表紙だけを二度読み取るといったミスを事前に防ぐことができる。
【００１３】
また、請求項２に係る発明の表紙と冊子の一致検査装置によれば、表紙サンプルと冊子サンプルのバーコードを読み取って二つのコードを各桁ごとに比較することにより、判定基準の各桁の状態を設定できるので、ユーザは一桁ごとに一致、不一致、無視を設定する必要がなく、誤りのない判定基準を容易に設定することができる。
さらに、請求項３に係る発明の表紙と冊子の一致検査装置によれば、操作パネルのコード設定画面で、コードの各桁を押すたびに、一致、不一致、判定しない、の三状態に切り替わるので、コードの判定基準をオペレータが簡単に設定することができる。
【実施例１】
【００１４】
以下、本発明に係る表紙と冊子の一致検査装置の実施例について図により説明する。
図１は、本発明に係る表紙と冊子の一致検査装置を備えた製本機の外観を示す図であり、１は表紙とボール紙を貼り付ける表紙貼付け部、２はボール紙が張り付けられた表紙を折り返す折り返し部、３は折り返された表紙と冊子を接着するニップ部、４は操作パネル、５はバーコードリーダー、６は照準ランプである。また、１ａ、２ａ、３ａはそれぞれ表紙貼付け部１、折り返し部２、ニップ部３のスタートボタンである。
【００１５】
操作パネル４は液晶タッチパネルよりなり、製本機の操作画面やコードの判定基準入力画面を表示するものであり、バーコードリーダー５は表紙や冊子に印刷されたバーコードを読み取るものである。また、照準ランプ６は表紙貼付け部１に載置される表紙の中心位置を指示するためのランプである。
【００１６】
図２は表紙貼付け部１の詳細を示す図であり、１１は表紙とボール紙を貼り付けるための貼付テーブル、１２はセットされるボール紙の下端を規制する規制板である。１３〜２４はボール紙をセットするためのガイドであり、貼付テーブル１１の表面からボール紙の厚さより若干短い長さだけ突き出ている。ガイド１３〜１６は表側表紙ボ−ル紙を置くためのガイド、ガイド１７〜２０は裏側表紙ボ−ル紙を置くためのガイド、ガイド２１〜２４は背ボ−ル紙を置くためのガイドであり、冊子サイズに応じて位置を変更するため、孔内を移動可能となっている。また、２５は表紙とボール紙とを貼り付けるための貼付ローラである。
【００１７】
また、図３は折り返し部２の詳細を示す図である。図３において、３１は回転可能なテーブル、３２はボール紙が貼付された表紙を押さえるための、上下に移動可能な固定板、３３、３４はボール紙が貼付された表紙をガイドするためのガイドローラ、３５、３６はガイド台、３７、３８は表紙の端部を折り曲げるための折り曲げバーである。ガイドローラ３３、３４、ガイド台３５、３６は左右に移動可能となっており、折り曲げバー３７、３８はガイド台３５、３６に対して上下に移動可能となっている。
【００１８】
一方、図４は製本機の構成を示すブロック図であり、制御部７は、表紙貼付け部１の貼付ローラやガイドを駆動する駆動機構１ｂ、折り返し部２のガイドローラ等を駆動する駆動機構２ｂ、ニップ部３の各部を駆動する駆動機構３ｂを制御するとともに、操作パネル４に操作・設定画面の情報を出力する。また、この制御部７は、バーコードリーダー５の出力を受け取るとともに、表紙とボール紙の貼り付け時に照準ランプ６を点灯させる。
【００１９】
次に、この製本機で無線綴じした冊子に表紙を接着して製本する場合の作用について説明する。なお、この製本機では、裏面に接着剤層が形成され、この接着剤層に剥離紙が貼付されているタック紙（シール）を表紙として使用する。この表紙は、図５に示すように、裏側の剥離紙の中央部にスリット（切れ目）４０が入っているので、中央から剥離紙を容易に剥離することができる。
【００２０】
図６は操作パネル４に表示されるサイズ設定画面の一例であり、ユーザはこの画面で冊子の長さ（ａ）、幅（ｂ）、厚さ（ｃ）をｍｍ単位で入力できるとともに、コーナーの面取り幅（ｄ）及び表紙の剥離紙のスリット位置の下端からの距離（ｅ）もｍｍ単位で入力することができる。また、この設定画面で表紙の折り曲げ形状、すなわち、天地と小口のみまたは天地と小口と４つの角、の選択、表紙と冊子に付されたバーコードの読み取りのＯＮ／ＯＦＦ設定、オプションで付加することができる表紙自動給紙装置のＯＮ／ＯＦＦ設定、剥離紙のスリット位置の設定も各ボタンを押すことにより設定することができる。
なお、剥離紙のスリット位置を任意に設定した場合、上記のスリット位置の下端からの距離を入力することができる。
【００２１】
図６のサイズ設定画面で「バーコード設定」ボタンを押すと、制御部７は、図７に示すバーコード設定画面を操作パネル４に表示する。このバーコード設定画面では５種類の判定基準を別々に設定することができ、設定した判定基準のいずれを使用するかは左端の枠を押すことで自由に選択することができる。なお、このバーコード設定画面の左下の「リターン」ボタンを押すことにより図６のサイズ設定画面に戻ることができる。
【００２２】
判定基準の設定は、一桁ごとにユーザが一致（＝）、不一致（≠）、無視（空欄）を設定することが可能であり、各桁を押すたびに、“＝”、“≠”、“空欄”に切り替わるので、オペレータは簡単に判定基準を設定することができる。図７において、１行目は「冊子：B123456_00、表紙：C123456_00」の場合の判定基準であり、２行目は「冊子：1234567_00、表紙：1234567_01」の場合の判定基準である。
【００２３】
また、操作パネルに図７のバーコード設定画面が表示されている状態でバーコードリーダー５により冊子サンプルと表紙サンプルのバーコードを読み取ると、制御部７は、図８に示すように、バーコード設定画面の「バーコード１」欄に一回目（冊子サンプル）のバーコード読み取り結果を表示し、「バーコード２」欄に二回目（表紙サンプル）のバーコード読み取り結果を表示する。この後、ユーザが「自動設定」ボタンを押すと、制御部７は二つのコードを各桁ごとに比較し、比較した結果を選択されている判定基準の行（図示例では１行目）に設定する。このようにすれば、ユーザは一桁ごとに一致（＝）、不一致（≠）、無視（空欄）を設定する必要がないので、誤りのない判定基準を容易に設定することができる。
【００２４】
一方、図６のサイズ設定画面で冊子の寸法を入力した後、「ＯＫ」ボタンを押すと、制御部７は必要なボール紙及び表紙の寸法を演算し、図９に示す、ボール紙及び表紙の寸法を表示する表紙確認画面を表示する。図に示すように、この表紙確認画面には、表・裏側表紙ボ−ル紙、背ボ−ル紙の長さ、幅及び表紙の長さ、幅や剥離紙のスリット位置の下端からの距離が表示されるので、ユーザは指定された寸法の表・裏側表紙ボ−ル紙、背ボ−ル紙及び表紙を用意する。
なお、この表紙確認画面で左上の「サイズ設定」タグを押すことにより図６のサイズ設定画面に戻ることができる。
【００２５】
そして、図６のサイズ設定画面でバーコードをオンに設定した場合、図９の表紙確認画面が表示されている状態で、ユーザがバーコードリーダー５により冊子と表紙のバーコードを読み取ると、制御部７は、冊子と表紙の一致を確認する。すなわち、制御部７は、冊子と表紙のバーコード読み取り結果を各桁ごとに比較し、図７のバーコード設定画面で選択された判定基準に基づいて冊子と表紙の一致を確認し、一致している場合には、コード判定結果表示部に「ＯＫ」を表示し、一致していない場合には、「ＮＧ」を表示する。
【００２６】
例えば、図１０（ａ）に示す判定基準では、全桁が一致しているか否かを判定し、図１０（ｂ）に示す判定基準では、１桁目は不一致、２桁目以降は一致しているか否かを判定する。また、図１０（ｃ）に示す判定基準では、９桁目まで一致、１０桁目だけが不一致か否かを判定し、図１０（ｄ）に示す判定基準では、１桁目不一致、２〜８行目一致か否かを判定し、９、１０行目は無視する。このように一致だけではなく、不一致も判定することにより、表紙だけを二度読み取ったりするミスにも対応することができる。
【００２７】
次に、表紙とボール紙を貼り合わせる場合の作用について説明する。
図９の表紙確認画面でユーザが「セット替えスタート」ボタンを押すと、制御部７は、表紙貼付け部１の駆動機構１ｂを制御し、ガイド１３〜２４の位置を演算された位置に自動的にセットする。
この状態でユーザは、図１１、図１２（ａ）に示すように、表側表紙ボ−ル紙４１、裏側表紙ボ−ル紙４２、背ボ−ル紙４３をセットした後、図１２（ｂ）に示すように、表紙４４の表を上側にし、その中心位置が照準ランプ６の示す位置と合致するようにセットする。この後、ユーザが表紙貼付け部１のスタートボタン１ａを押すと、制御部７が、表紙貼付け部１の貼付ローラ２５を下降させて、剥離紙のスリット位置の上方で停止して表紙４４を押さえる。これにより、図１２（ｃ）に示すように、ユーザは表紙４４の裏側の手前側剥離紙を容易に剥がすことができる。
【００２８】
そして、手前側剥離紙を剥がした後、ユーザがスタートボタン１ａを押すと、制御部７は、貼付ローラ２５を再び下降させ、剥離紙のスリット位置の下方で停止させて表紙４４を押さえる。これにより、図１２（ｄ）に示すように、ユーザは表紙４４の裏側の奥側剥離紙を容易に剥がすことができる。剥離紙を剥がした後、ユーザが再度スタートボタン１ａを押すと、制御部７は、貼付ローラ２５を下降させて、図１２（ｅ）に示すように、貼付ローラ２５により表紙４４の手前側をボール紙に貼り付けた後、貼付ローラを上昇させ、図１２（ｆ）に示すように、貼付ローラ２５により表紙４４の奥側をボール紙に貼り付ける。
これにより、表紙に表側表紙ボ−ル紙、裏側表紙ボ−ル紙、背ボ−ル紙を貼り付けることができる。
【００２９】
次に、上記のようにしてボール紙を貼り付けた表紙の天地と小口を折り返し部２により折り曲げる場合の作用について説明する。
ユーザが折り返し部２のテーブル３１の回転中心に表紙の中心を合わせてセットした後、折り返し部２のスタートボタン２ａを押すと、制御部７が折り返し部２の駆動機構２ｂを制御し、図１３（ａ）に示すように、固定板３２を下降させて表紙を固定する。次に、制御部７は、テーブル３１及び固定板３２を９０度回転させた後、ガイドローラ３３、ガイド台３５、折り曲げバー３７を右側に、ガイドローラ３４、ガイド台３６、折り曲げバー３８を左側に所定距離だけ移動させる。これにより、図１３（ｂ）、図１４（ａ）、図１５に示すように、ガイドローラ３３、３４にガイドされてボール紙が貼られていない表紙の部位が折り曲げバーの下端に位置させられる。
【００３０】
この状態で、制御部７が折り曲げバー３７、３８を下降させるので、図１４（ｂ）に示すように、表紙の天地の２辺が直角に曲げられた後、制御部７がガイドローラ３３、３４、ガイド台３５、３６、折り曲げバー３７、３８を内側に移動させるので、図１４（ｃ）に示すように、表紙の天地の２辺が折り曲げられて接着される。次に、制御部７はガイドローラ３３、３４、ガイド台３５、３６、折り曲げバー３７、３８を元の所定位置に移動させた後、テーブル３１及び固定板３２を９０度回転させる。そして、上記と同様に、ガイドローラ３３、ガイド台３５、折り曲げバー３７を右側に、ガイドローラ３４、ガイド台３６、折り曲げバー３８を左側に所定距離だけ移動させることにより、図１３（ｃ）に示す状態とし、同様にして表紙の小口の２辺を折り曲げて接着する。
これにより、ボール紙を貼り付けた表紙の天地と小口を折り返して接着し、ハードカバーを作成することができる。
【００３１】
上記のようにしてハードカバーを作成した後、ハードカバー４５と、バーコードリーダー５により表紙との一致を確認した無線綴じした冊子４６とを組み合わせ、これを背側が下になるようにしてニップ部３にセットした後、ニップ部３のスタートボタン３ａを押すことにより、ヒータ内蔵のプレス（図示せず）で冊子４６の背側に形成された熱可塑性の接着剤によりハードカバー４５と冊子４６の背側が接着される。この後、図１６に示すように、冊子４６の見返しの剥離紙４６ａを剥がしてハードカバー４５と合わせることにより、冊子の見返しに形成された接着剤によりハードカバー４５と冊子の４６の見返しが接着されて上製本が作成される。
【００３２】
なお、上記の実施例では、コードが１０桁の例について説明したが、本発明の表紙と冊子の一致検査装置は任意の桁数のコードについて適用することができる。
また、上記の実施例では、本発明の表紙と冊子の一致検査装置を製本機に組み込んだ実施例について説明したが、表紙と冊子の一致検査装置単独で実施することも可能である。
【図面の簡単な説明】
【００３３】
【図１】本発明に係る表紙と冊子の一致検査装置を備えた製本機の外観を示す図である。
【図２】表紙貼付け部の詳細を示す図である。
【図３】折り返し部の詳細を示す図である。
【図４】製本機の構成を示すブロック図である。
【図５】剥離紙のスリットを示す図である。
【図６】操作パネルに表示されるサイズ設定画面の一例である。
【図７】操作パネルに表示されるバーコード設定画面の一例である。
【図８】バーコード設定画面での判定基準の自動設定を説明するための図である。
【図９】操作パネルに表示される表紙確認画面の一例である。
【図１０】表紙と冊子に付されるコード体系と判定基準の例を示す図である。
【図１１】貼付テーブルにボール紙をセットした状態を示す図である。
【図１２】表紙とボール紙を貼り合わせる手順を説明するための図である。
【図１３】表紙の天地と小口を折り返す手順を説明するための図である。
【図１４】表紙の折り返し時の作用を示す図である。
【図１５】表紙の天地を折り返すときの状態を示す図である。
【図１６】ハードカバーと無線閉じした冊子を合わせた状態を示す図である。
【図１７】簡易上製本を行う例を示す分解斜視図である。
【図１８】製本時の表紙と冊子の一致確認を説明するための図である。
【図１９】表紙と冊子に付される多様なコード体系の一例である。
【符号の説明】
【００３４】
１  表紙貼付け部
２  折り返し部
３  ニップ部
４  操作パネル
５  バーコードリーダー
６  照準ランプ
１ａ、２ａ、３ａ  スタートボタン
【図１】
0005224901.tif 000002
【図２】
0005224901.tif 000003
【図３】
0005224901.tif 000004
【図４】
0005224901.tif 000005
【図５】
0005224901.tif 000006
【図６】
0005224901.tif 000007
【図７】
0005224901.tif 000008
【図８】
0005224901.tif 000009
【図９】
0005224901.tif 000010
【図１０】
0005224901.tif 000011
【図１１】
0005224901.tif 000012
【図１２】
0005224901.tif 000013
【図１３】
0005224901.tif 000014
【図１４】
0005224901.tif 000015
【図１５】
0005224901.tif 000016
【図１６】
0005224901.tif 000017
【図１７】
0005224901.tif 000018
【図１８】
0005224901.tif 000019
【図１９】
0005224901.tif 000020